Podtech/llm-jp-corpus-v4-ja_patent huggingface dataset:
(57)【要約】【課題】本発明は、そこに挿入された袋との接触領域において、手段（放物線状の螺旋の形状）によって加えられる圧力によって、可撓性材料で作られた袋を、無制限の回数、密封および開放するように設計された弾性機械手段に関する。【解決手段】その作用は、袋の密封する部分を螺旋部の閉じられた部分の内側の領域内に配置し、表面にある２つのクリップを係合するまで動かすことであり、螺旋部内の内側にある空いた空間を縮小し、そして、袋のこ押圧し、前記袋を密閉する。袋を開くためには、外力によって前記クリップの係合を解除するだけであり、この場合、螺旋部がその拡張位置に戻り、袋が手段から取り外される。【選択図】図１
2020528033.tif 000002
【特許請求の範囲】
【請求項１】
フェルマーの螺旋の形状をなす袋の密封具であって、
螺旋部（１）の開口端の内側部分の先端に、螺旋部の中心に向かって湾曲した突起を有し、
螺旋部（２）の開口端の外側部分の先端に位置する第１フック（３）、および、前記第１フックと係合され、前記螺旋部の閉鎖端の外側部分の外側面に位置する第２フック（４）を有する密閉具。
【請求項２】
弾性的に形状を変化させる機械的特性を有する材料で作られていることを特徴とする請求項１に記載の袋の密閉具。
【請求項３】
内側に配置された袋にかかる圧力を調整するために、形態が以下の手順、
前記螺旋部（２）の開口端の外側部分の長さを減らすと、袋にかかる圧力が大きくなり、前記長さを増加すると袋への圧力が減少する、ことによって変更されることを特徴とする請求項１に記載の袋の密閉具。
【請求項４】
閉鎖動作は、両フック（１）（２）が、袋が内側に挿入された後、螺旋部に圧力を加える動作によって係合されることからなり、袋を開く動作は、螺旋部を押してフックの係合を解除する動作で構成される、密閉具。
【請求項５】
袋の取り扱いをより困難にし、袋の中身を保護するために、フックが共に係合された時、結果として生じる密閉具の形状は、テープをその上に貼ることができる滑らかな形状を提供することを特徴とする請求項１に記載の袋の密閉具。
【発明の詳細な説明】
【技術分野】
【０００１】
本発明は、柔軟な素材（ビニール、紙、セロファン等）を用いて製造された袋を閉じる（後で顧客が開封する）のために業界で使用される手段の分野内に位置する。
【０００２】
ここで、具体的に言及する密封の類型は、次の特徴を満たしたものである。
密封される物体に対して外的機械的動作を実行すること。
使用後に変更のない同じ部品は、必要に応じて何度でも袋の開閉が可能である。
【背景技術】
【０００３】
市場における現行の手段である、プラスチック被覆線、粘着テープ、クランプなどは、非常に脆弱で確実性に乏しい。これは以下のような理由による。
製品流通過程において袋の内部が密閉された状態に維持されることを保証できないため、内容物を外気や製品の汚染、又は劣化の助長から確実に保護することが出来ない。
簡単に閉めることができるが、その動作は製品の卸売業者や消費者にも気づかれることがない。
一度開けられた袋を、もう一度確実に密封できるように閉めることは困難であることが多い。
【発明の概要】
【発明が解決しようとする課題】
【０００４】
現在の市場に見られる現行の袋を密閉するシステムが有する限界と欠点は、以下に挙げる条件を満たし、尚且つより高い汎用性を持ったメカニズムを備えることで解決できる。
デザインのシンプル性
消費者の使いやすさ
メカニズムの効果性  
手順の結果の安全性
商品の値上げを回避する非常に低い製造コスト  
【課題を解決するための手段】
【０００５】
ここに提案する柔軟素材を使用して製造する袋の開閉システムは、しなやかに（弾力性）変形する機械的特性を持った素材で製造され、フェルマー螺旋に基づいて成型されたパーツを備えている。このパーツは螺旋部の開いた先端の外側支線から螺旋部の閉じた部分の外面に向けて誘発され、開いた先端の内側支線内にある曲線状の突起が起こす圧力によって増強された力を受ける。するとパーツ内についているかけ爪の結合によってそれ自体の位置を維持しつつも、パーツの内部スペースにある縁を引き寄せることによる効果に基づく。
【図面の簡単な説明】
【０００６】
【図１】使用前の中に袋が何も挿入されていない状態における袋の密閉具の平面図。
【図２】フックが係合され、内側に袋がある状態の袋の密閉具の平面図。
【図３】密閉具のフックの例の斜視図。
【発明を実施するための形態】
【０００７】
密閉具の形態の説明（図１）
本密閉具は機械的特性として弾力を有する材料を使用して製造される。この材料の密閉具は帯状（幅と厚さは袋のタイプに合わせる）であり、フェルマー螺旋状に成形されている。しかしながら、標準的な幾何学形状に関しては設計上以下の変更を伴う。
螺旋部の開口端の内側部分の先端には、湾曲して螺旋部の中心（１）へ向かう突起があり、閉める時に圧力を加える。
螺旋部の開口端の外側部分は螺旋部の開口端の内側部分（２）より短い。
螺旋部の開口端の外側部分の先端にフックがある（３）、図３。
螺旋部の閉鎖端の外側部分の外側面にフック（４）があり、図３、フックは、密閉する圧力に比例して、湾曲した部分の先端から間隔をあけて配置されている（間隔が大きいほど袋にかかる圧力も強くなり密封性も高まる）。
【０００８】
開閉の手順段階は以下の通りである。
【０００９】
Ａ  図１
圧迫される袋の部分は、（５）で示す初めの位置から、（６）で示す位置までの螺旋部の内側へと移動する。
【００１０】
Ｂ  図２
フックを、開いた部分（１）から、閉じた部分（２）のもう一つのフックの位置まで移動すると、それ自体の形状と反対方向に向かって接触部分に加えられる圧力によって二つがしっかりと噛み合わされる。そうすることで、螺旋部の内側の空間が減少し、最終的に、    （３）で示す空間に位置した先端部は螺旋部の側面からの圧力を受ける。この方法により挿入した袋をしっかりと閉じることができる。
【００１１】
Ｃ              密閉具に外力を加えるだけで、フック同士の係合を外すことが出来る。その弾力性によってフックを分離させ、螺旋部に挿入された袋を取り出して、袋を開けることが出来るようになる。
【００１２】
Ｄ  安全性向上を目的として、密封テープを螺旋部の上に貼ることが出来る。これにより、袋を開いたり操作することを回避し、内容物の完全性を確保する。
【００１３】
本発明の説明および図中の図面は、本発明の好ましい実施形態を提示し、密閉具の構成要素およびその機能を十分に明らかにしており、本発明の一例を示すものである。
【図１】
2020528033.tif 000003
【図２】
2020528033.tif 000004
【図３】
2020528033.tif 000005
【国際調査報告】
2020528033.tif 000006
2020528033.tif 000007
2020528033.tif 000008
2020528033.tif 000009